(57)【要約】【課題】近年の情報化社会に対応して被情報提供者に対してアクティブに情報の提供を行うことができる情報提供装置を提供する。【解決手段】情報表示媒体を保持する情報表示部１２と、ピストンロッド１５Ａが情報表示部１２の表示面に対してほぼ直角向きに進退する停止用エアシリンダ１５と、この停止用エアシリンダ１５の先端部に取り付けられた吸着パッド１６と、ピストンロッド１７Ａが停止用エアシリンダ１５と平行な向きに進退する上下用エアシリンダ１７と、この上下用エアシリンダ１７のピストンロッド１７Ａに支持されてピストンロッド１８Ａが上下用エアシリンダ１７に対してほぼ直角な水平向きに往復動する両ロッドエアシリンダ１８と、そのピストンロッド１８Ａの両端部に取り付けられた吸着パッド１９とを備えている。【選択図】    図１
2004317696.tif 000002
【特許請求の範囲】
【請求項１】
情報表示媒体を保持する情報表示部と、
この情報表示部を支持するフレームに取り付けられてピストンロッドが情報表示部の表示面に対してほぼ直角向きに進退する第１シリンダと、
この第１シリンダの先端部に取り付けられた第１吸着部材と、
前記フレームに対してピストンロッドが第１シリンダと平行な向きに進退する第２シリンダと、
この第２シリンダのピストンロッドの先端部に支持されてピストンロッドが第２シリンダのピストンロッドに対してほぼ直角な水平向きに往復動する両ロッドシリンダと、
この両ロッドシリンダのピストンロッドの両端部に前記第１吸着部材と同じ向きに取り付けられた第１吸着部材と、
を備えていることを特徴とする情報提供装置。
【請求項２】
前記第１シリンダが、情報表示部の周囲に複数個配置されている請求項１に記載の情報提供装置。
【請求項３】
前記第２シリンダおよび両ロッドシリンダが、情報表示部の上下に一対配置されている請求項１に記載の情報提供装置。
【請求項４】
前記第１シリンダおよび第２シリンダが、それぞれのピストンロッドを情報表示部の正面の方向に向かって突出させる向きに取り付けられて、第１吸着部材と第２吸着部材が情報表示部の正面の方向と同じ向きに配置されている請求項１に記載の情報提供装置。
【請求項５】
前記第１シリンダおよび第２シリンダが、それぞれのピストンロッドを情報表示部の正面の方向と反対の方向に向かって突出させる向きに取り付けられて、第１吸着部材と第２吸着部材が情報表示部の正面の方向と反対向きに配置されている請求項１に記載の情報提供装置。
【請求項６】
前記フレームに取り付けられてピストンロッドが上下向きに進退する第３シリンダをさらに備え、この第３シリンダのピストンロッドに前記第２シリンダが支持されている請求項１に記載の情報提供装置。
【請求項７】
前記第２シリンダをそのピストンロッドが前進される方向に駆動させる手順と、第１シリンダをそのピストンロッドが後退される方向に駆動させる手順と、両ロッドシリンダをそのピストンロッドが所要の側にスライドされる方向に駆動させる手順と、第１シリンダをそのピストンロッドが前進される方向に駆動させる手順と、第２シリンダをそのピストンロッドが後退される方向に駆動させる手順とを順次行う制御装置を備えている請求項１に記載の情報提供装置。
【請求項８】
情報提供装置が保持される壁面の適宜箇所に取り付けられて、前記制御装置に人体の位置を示す検知信号を送信する検知センサをさらに備えている請求項１に記載の情報提供装置。
【請求項９】
前記制御装置が、検知センサから送信されてくる検知信号に基づいて、この検知信号が示す人体の位置と反対方向にピストンロッドをスライドさせる方向に両ロッドシリンダを駆動させる請求項８に記載の情報提供装置。
【請求項１０】
前記検知センサが、情報提供装置が保持される壁面に横方向に所定間隔で配列されている請求項８に記載の情報提供装置。
【請求項１１】
前記情報表示部に表示される情報の切り替えを外部から操作する操作スイッチをさらに備えている請求項１に記載の情報提供装置。
【請求項１２】
前記操作スイッチが、情報提供装置が保持される壁面に取り付けられている請求項１１に記載の情報提供装置。
【請求項１３】
前記情報表示部にモニタが取り付けられ、このモニタに映像を表示させるビデオ信号を送信するビデオ信号送信部材をさらに備えている請求項１に記載の情報提供装置。
【請求項１４】
前記両ロッドシリンダの両端部に物体との接近を検知する近接センサがそれぞれ取り付けられている請求項１に記載の情報提供装置。
【請求項１５】
情報提供装置に、この情報提供装置が保持される壁面の上部に水平向きに延びるレールに沿ってスライドするスライダから吊されたワイヤが締結されている請求項１に記載の情報提供装置。
【発明の詳細な説明】
【０００１】
【発明の属する技術分野】
この発明は、アクティブな情報の提供を行う情報提供装置に関する。
【０００２】
【従来の技術】
例えば、ショーウィンドウや展示会，イベント，博物館などで、様々な情報を来訪者などに提供する場合には、従来、パネルの展示や商品の実物を陳列するなどの方法の他、パネルを一定時間毎に捲って異なる情報を循環させながら表示する方法（例えば、特許文献１参照）や、モニタ画面にビデオ映像を流すなどの方法が行われている。
【０００３】
【特許文献１】
実開平７−８８８１号公報
【０００４】
【発明が解決しようとする課題】
しかしながら、上記のような従来の情報提供方法では、被情報提供者は、ショーウィンドウ等で情報を表示している装置や陳列品などの前まで自ら移動して行かなければ、提供されている情報を見ることが出来ない。
【０００５】
このため、情報の提供者側にとっては、提供を行っている情報を見逃されてしまったり、意図した十分な情報の提供を行うことが出来なかったりする場合が発生し、また、被情報提供者の側にとっても重要な情報を見逃してしまったりする場合が発生する。
【０００６】
この発明は、近年の情報化社会に対応して被情報提供者に対してアクティブに情報の提供を行うことができる情報提供装置を提供することを目的としている。
【０００７】
【課題を解決するための手段】
この発明（請求項１に記載の発明）による情報提供装置は、上記目的を達成するために、情報表示媒体を保持する情報表示部と、この情報表示部を支持するフレームに取り付けられてピストンロッドが情報表示部の表示面に対してほぼ直角向きに進退する第１シリンダと、この第１シリンダの先端部に取り付けられた第１吸着部材と、前記フレームに対してピストンロッドが第１シリンダと平行な向きに進退する第２シリンダと、この第２シリンダのピストンロッドの先端部に支持されてピストンロッドが第２シリンダのピストンロッドに対してほぼ直角な水平向きに往復動する両ロッドシリンダと、この両ロッドシリンダのピストンロッドの両端部に前記第１吸着部材と同じ向きに取り付けられた第１吸着部材とを備えていることを特徴としている。
【０００８】
【発明の実施の形態】
以下、この発明の最も好適と思われる実施形態について、図面を参照しながら詳細に説明を行う。
【０００９】
図１は、この発明の実施形態における情報提供装置の第１の例を示す正面図であり、図２はこの情報提供装置の側面図である。
【００１０】
この図１および２において、情報提供装置１０の本体フレーム１１の前面側の中央位置に、情報表示部１２が取り付けられており、さらに、この本体フレーム１１の背面側で情報表示部１２の裏側位置に、後述するエアシリンダの切り替え制御用電磁弁や、入力されてくる情報提供装置１０の作動制御用の信号や情報表示用の信号の分配Ｉ／Ｏ基板などが収納された中継ボックス１３が取り付けられている。
【００１１】
情報表示部１２には、種々の情報表示媒体、例えば、パネルや絵画，ポスタなどの他、書籍やＣＤ，ＤＶＤ，装飾品，化粧品，食品，筆記具などの各種製品の陳列が可能になっている。
また、情報表示部１２には、液晶モニタの取り付けも可能になっている。
【００１２】
本体フレーム１１の上端部分と下端部分には、それぞれ、水平でかつ情報提供装置１０の左右方向に延びる一対の支持アーム１４が、互いに平行に固定されている。
この各支持アーム１４の両端部には、停止用エアシリンダ１５が、それぞれ、軸線が水平でかつ支持アーム１４の軸線と直交する方向（情報提供装置１０の裏表方向）に延びるように取り付けられている。
【００１３】
そして、この二対の停止用エアシリンダ１５の情報提供装置１０の前方側（図２の左側）に延びる各ピストンロッド１５Ａの先端に、吸着パッド１６がそれぞれ取り付けられている。
【００１４】
本体フレーム１１には、さらに、その両端部の後方に、架台１１Ａがそれぞれ固定されており、この各架台１１Ａのそれぞれの外面側（上面または下面）に一対の上下用エアシリンダ１７が、軸線が水平でかつ停止用エアシリンダ１５の軸線と平行方向（情報提供装置１０の裏表方向）に延びるように取り付けられている。
【００１５】
この上下用エアシリンダ１７は、情報提供装置１０を上方から見た場合に、本体フレーム１１の両側に位置する一対の停止用エアシリンダ１５の間の真ん中に位置するように配置されている。
【００１６】
この上下用エアシリンダ１７の情報提供装置１０の前方側（図２の左側）に延びるそれぞれのピストンロッド１７Ａの先端に、軸線が水平でかつ情報提供装置１０の左右方向に延びる一対の両ロッドエアシリンダ１８が、互いに平行に取り付けられている。
【００１７】
この一対の両ロッドエアシリンダ１８の両方向（図１において左右の方向）に延びるピストンロッド１８Ａの両端部には、このピストンロッド１８Ａと直交し情報提供装置１０の前方側（図２の左側）に延びるアーム１８Ｂが、それぞれ固定されている。
【００１８】
そして、この各アーム１８Ｂの先端部に、吸着パッド１９がそれぞれ取り付けられている。
【００１９】
さらに、各両ロッドエアシリンダ１８のピストンロッド１８Ａの両端部には、情報提供装置１０の正面から見て吸着パッド１９よりも外方（図１において左方または右方）に突出する位置に、反射型センサ２０がそれぞれ取り付けられている。
【００２０】
図３は、この情報提供装置１０への制御部の接続の態様を、情報提供装置１０がショーウィンドウＷに取り付けられている状態で示している。
【００２１】
この図３において、中継ボックス１３にはコントロールボックス２１が接続され、このコントロールボックス２１には、マイクロコンピュータやシーケンサなどの制御装置、および、情報提供装置１０への電源供給コントローラ，各シリンダの切替用電磁弁などが収納されている。
【００２２】
このコントロールボックス２１の制御装置は情報提供装置１０の反射型センサ１９と信号コードＬ１によって接続され、電源供給コントローラは情報提供装置１０の電装部と電源コードＬ２によって接続され、各シリンダの切替用電磁弁はエアホースＡＨによって情報提供装置１０の各シリンダに接続されている。
【００２３】
さらに、この情報提供装置１０の制御装置には、ショーウィンドウＷの外面上縁部に配置される人体検知センサＳ（後で詳述する）が接続されている。
【００２４】
図４は、コントロールボックス２１の制御装置が、パーソナルコンピュータであるときの構成図である。
【００２５】
この図４において、パーソナルコンピュータＰＣには、このパーソナルコンピュータＰＣにセットされたＩ／ＯボードＢ１に分配基板Ｂ２が接続されていて、このＩ／ＯボードＢ１および分配基板Ｂ２を介して、反射型センサ２０と人体検知センサＳのそれぞれからのセンサ入力、および、シリンダ切替用電磁弁への切替信号の出力を、内蔵しているプログラムに従って行うようになっている。
【００２６】
また、情報提供装置１０の情報表示部１２に液晶モニタが取り付けられる場合には、このパーソナルコンピュータＰＣから情報表示部１２に取り付けられた液晶モニタに、ビデオ信号が出力される。
【００２７】
図５は、情報提供装置１０がショーウィンドウＷに取り付けられた時の作動の状態を示す説明図である。
【００２８】
この図５において、情報提供装置１０は、ショーウィンドウＷの前面ガラスＧの裏面側に情報表示部１２を表側にした状態で取り付けられる（図３参照）。
【００２９】
そして、この情報提供装置１０には、ショーウィンドウＷの天井部に前面ガラスＧと平行に取り付けられているレールＲに対してスライド自在なスライダＳＬから延びるワイヤｗが締結されて、情報提供装置１０が前面ガラスＧから落下するのが防止される。
【００３０】
そして、このショーウィンドウＷの外面上部には、その前面ガラスＧの上縁部に沿って複数個（図の例では５個）の人体検知センサＳが等間隔に配置されている。
【００３１】
情報提供装置１０は、４個の吸着パッド１６がショーウィンドウＷの前面ガラス裏面に吸着されることにより、前面ガラスＧの任意の位置に保持される。
このとき、情報提供装置１０の取り付け位置は、その情報表示部１２が、ショーウィンドウＷの前に立った人の顔が位置する標準的な高さ位置に位置するように設定される。
【００３２】
そして、ショーウィンドウＷの前に来訪者Ｈが立つと、この来訪者Ｈが立った位置の上方に配置されている人体検知センサＳ（図示の例では、右端に配置されている人体検知センサＳ１）によって検知されて、その来訪者Ｈの人体検知信号がこの人体検知センサＳ（Ｓ１）の位置データとともにコントロールボックス２０の制御装置（例えば、図４のパーソナルコンピュータＰＣ）に出力される。
【００３３】
コントロールボックス２１の制御装置は、この人体検知センサＳ（Ｓ１）からの人体検知信号の入力によって情報提供装置１０の駆動制御を開始して、あらかじめ設定されているプログラムに基づいて停止用エアシリンダ１５および上下用エアシリンダ１７，両ロッドエアシリンダ１８のそれぞれを駆動制御することにより、図示のようにショーウィンドウＷのほぼ中央位置に位置していた情報提供装置１０を、図面右方向にスライドさせて、来訪者Ｈの正面に位置させる。
【００３４】
すなわち、情報提供装置１０は、停止用エアシリンダ１５の吸着パッド１６による吸着によって前面ガラスＧに保持されて停止している状態では、上下用エアシリンダ１７のピストンロッド１７Ａがその後退位置（シリンダ本体内に引き込まれている状態）に位置され、これによって、両ロッドエアシリンダ１８が後退位置（図２に図示されている位置）に位置されていることにより、吸着パッド１９が前面ガラスＧのガラス面から離間されている。
【００３５】
この状態で、情報提供装置１０の駆動制御が開始されると、コントロールボックス２１において電磁弁が順次切り替えられることによって、以下の順序で、各シリンダが駆動されてゆく。
【００３６】
先ず、各両ロッドエアシリンダ１８が駆動されて、そのピストンロッド１８Ａが来訪者Ｈが立っている方向（この例の場合は、図５において右方向）に突出される。
【００３７】
次に、各上下用エアシリンダ１７が駆動されて、そのピストンロッド１７ＡがショーウィンドウＷの前面ガラスＧに向かって突出されて、両ロッドエアシリンダ１８が前面ガラスＧに接近され、これによって、吸着パッド１９が前面ガラスＧのガラス面に押接されることにより吸着される。
【００３８】
そして次に、各停止用エアシリンダ１５が駆動され、そのピストンロッド１５Ａが後退されてシリンダ本体内に引き込まれることにより、吸着パッド１６が前面ガラスＧから離間されてその吸着状態が解除される。
【００３９】
以上のようにして、情報提供装置１０は、吸着パッド１９のみによって前面ガラスＧに保持された状態になる。
【００４０】
次に、両ロッドエアシリンダ１８が、前記と反対方向、すなわち、ピストンロッド１８Ａが来訪者Ｈと反対側（この例の場合は、図５において左方向）にスライドする方向に駆動される。
【００４１】
これによって、吸着パッド１９によって前面ガラスＧに保持されているピストンロッド１８Ａに対して情報提供装置１０の本体部分が、相対的に来訪者Ｈに接近する方向（図５において右方向）にスライドする。
【００４２】
このとき、情報提供装置１０に締結されているワイヤｗに牽引されて、スライダＳＬもレールＲに沿って図５の右方向にスライドする。
【００４３】
そして、両ロッドエアシリンダ１８のシリンダ本体に対するピストンロッド１８Ａの図５の左方向への相対的なスライドが完了すると、停止用エアシリンダ１５が前記と反対方向に駆動され、そのシリンダ本体内からピストンロッド１５Ａが突出されて、吸着パッド１６が前面ガラスＧのガラス面に押接されて吸着される。
【００４４】
この状態で、次に、上下用エアシリンダ１７が前記と反対方向に駆動され、そのシリンダ本体内にピストンロッド１７Ａが引き込まれて、両ロッドエアシリンダ１８が前面ガラスＧから離間する方向に移動されることにより、吸着パッド１９が前面ガラスＧのガラス面から離間してその吸着状態が解除される。
【００４５】
これによって、情報提供装置１０は、再び吸着パッド１６のみによって前面ガラスＧに保持される。
【００４６】
以上のような動作が、情報提供装置１０がショーウィンドウＷの前に立っている来訪者Ｈの正面に位置されるまで繰り返される。
なお、来訪者Ｈの立っている位置が、図５において情報提供装置１０の最初の位置の左側である場合には、両ロッドエアシリンダ１８の駆動が上記の場合と逆の順序で行われる。
【００４７】
この情報提供装置１０の移動量は、コントロールボックス２１の制御装置が、前面ガラスＧにおける情報提供装置１０の最初の位置の位置データと、人体検知センサＳによって検知された来訪者Ｈの位置データとを比較することにより演算するか、または、情報提供装置１０の位置を人体検知センサＳによって逐次検出することにより、決定される。
【００４８】
また、情報提供装置１０がショーウィンドウＷの側壁部に対してあらかじめ設定された距離以内に接近する場合には、両ロッドエアシリンダ１８のピストンロッド１８Ａの両端部に取り付けられている反射型センサ２０によってショーウィンドウＷの壁面が検知されて、その検知信号がコントロールボックス２１に送信されることにより、両ロッドエアシリンダ１８の駆動が停止されて、それ以上の情報提供装置１０の壁面への接近は阻止される。
【００４９】
なお、この反射型センサ２０の代わりに接触型のセンサを用いるようにしても良い。
【００５０】
このようにして、情報提供装置１０が来訪者Ｈの正面まで移動してくることにより、来訪者Ｈは、この情報提供装置１０の情報表示部１２に表示される各種情報を得ることが出来るようになる。
【００５１】
なお、この情報提供装置１０の移動の態様は、上記のように来訪者Ｈの正面位置までストレートに移動される場合に限らず、制御装置に設定されたプログラムによって、情報提供装置１０の動きの判断を乱数決定してランダムな動きとすることもでき、これによって、来訪者Ｈの注意をさらに喚起することが出来るようになる。
【００５２】
また、この情報提供装置１０の情報表示部１２に液晶モニタが取り付けられている場合には、情報提供装置１０が来訪者Ｈの正面に位置された際に、または、来訪者Ｈが人体検知センサＳによって検知されて情報提供装置１０の移動が開始された際に、図４のパーソナルコンピュータＰＣから情報表示部１２の液晶モニタにビデオ信号が送信されて、この液晶モニタに映像が表示される。
【００５３】
このように、情報表示部１２に液晶モニタが取り付けられる場合は、パーソナルコンピュータＰＣへのプログラムによって、様々な情報の供給を瞬時に行うことが出来るようになる。
【００５４】
上記の例において、図５に示されるように、ショーウィンドウＷの前面ガラスＧの表面に、コントロールボックス２１の制御装置に接続された操作スイッチＳＷを取り付けて、来訪者Ｈが自ら操作することにより、情報提供装置１０の情報表示部１２に表示される情報を切り替えて選択することができるようにすることもできる。
【００５５】
これによって、対話型の情報発信が可能になる。
操作スイッチＳＷの符号ＳＷａは情報の順送りスイッチ，ＳＷｂは逆送りスイッチＳＷｂ，ＳＷｃは停止スイッチである。
【００５６】
図６は、この発明の実施形態における情報提供装置の第２の例を示す正面図であり、図７はその側面図である。
【００５７】
この例における情報提供装置３０は、上記第１の例の情報提供装置１０の構成に加えて、上下動用の機構を備えているものである。
【００５８】
すなわち、情報提供装置３０は、情報表示部１２および中継ボックス１３等を支持している本体フレーム３１にその長手方向と平行に上下向きに上下動用ロッドシリンダ３２が取り付けられており、この上下動用ロッドシリンダ３２の上向きに突出するピストンロッド３２Ａの上端に、情報提供装置３０の上部側に位置する上下用エアシリンダ１７が取り付けられて支持されている。
【００５９】
他の部分の構成は、前記情報提供装置１０の構成とほぼ同様であり、同様の符号が付されている。
【００６０】
この情報提供装置３０は、水平方向に移動する際には、前述した情報提供装置１０の場合と同様の動作を行って移動するが、上下方向への移動は、上下動用ロッドシリンダ３２の駆動によって、以下の手順で行われる。
【００６１】
すなわち、停止用エアシリンダ１５の吸着パッド１６による吸着によって情報提供装置３０がショーウィンドウＷの前面ガラスに保持されて、両ロッドエアシリンダ１８の吸着パッド１９が前面ガラスのガラス面から離間されている状態で、例えば、情報提供装置３０が上方向に移動する場合には、先ず、上下動用ロッドシリンダ３２が、そのピストンロッド３２Ａがシリンダ本体内から上向きに突出する方向に駆動され、これによって、両ロッドエアシリンダ１８が、ピストンロッド３２Ａの上端に連結された上下用エアシリンダ１７とともに上方にスライドされる。
【００６２】
そして、この後、この上下動用ロッドシリンダ３２の駆動によって上向きにスライドされた上下用エアシリンダ１７のみが、情報提供装置１０の場合と同様に駆動されて、そのピストンロッド１７Ａが前面ガラスに向かって突出される。
これによって、上側の両ロッドエアシリンダ１８の吸着パッド１９が前面ガラスに押接されて吸着される。
【００６３】
次に、この状態で、情報提供装置１０の場合と同様に、各停止用エアシリンダ１５が駆動されてそのピストンロッド１５Ａが後退されることにより、吸着パッド１６が前面ガラスのガラス面から離間されてその吸着状態が解除される。
【００６４】
このようにして、情報提供装置３０が、上側の吸着パッド１９による吸着のみによって前面ガラスＧに保持された後、上下動用ロッドシリンダ３２が上記と反対方向に駆動されて、そのピストンロッド３２Ａがシリンダ本体に引き込まれる方向に駆動される。
【００６５】
これによって、情報提供装置３０の本体部分が、相対的に、上下動用ロッドシリンダ３２のピストンロッド３２Ａに沿って引き上げられる。
【００６６】
次に、各停止用エアシリンダ１５が上記と反対方向に駆動されて、そのピストンロッド１５Ａが前面ガラス側に突出されることにより、吸着パッド１６が前面ガラスのガラス面に押接されて吸着される。
【００６７】
そして、この後、上下用エアシリンダ１７が上記と反対方向に駆動されて、両ロッドエアシリンダ１８が前面ガラスから離間する方向に後退され、これによって、吸着パッド１９と前面ガラスのガラス面との吸着状態が解除される。
【００６８】
以上のようにして、情報提供装置３０は、ショーウィンドウの前面ガラスのガラス面に沿って、最初の位置に対して上方位置にスライドされる。
【００６９】
また、情報提供装置３０を前面ガラスに沿って下方向にスライドさせる場合には、上下動用ロッドシリンダ３２のピストンロッド３２Ａがシリンダ本体内に引き込まれている状態で、上側の上下用エアシリンダ１７が、そのピストンロッド１７Ａを前面ガラス側に突出させる方向に駆動されて、両ロッドエアシリンダ１８の吸着パッド１９が前面ガラスのガラス面に押接されることにより吸着される。
【００７０】
そして、各停止用エアシリンダ１５の駆動により吸着パッド１６と前面ガラスとの吸着状態が解除されて、情報提供装置３０が吸着パッド１９のみによって保持された後、上下動用ロッドシリンダ３２が駆動されて、そのピストンロッド３２Ａがシリンダ本体内から突出される。
これによって、情報提供装置３０の本体部が相対的に下降される。
【００７１】
その後は、上昇の場合と同様の動作が行われ、以上のようにして、情報提供装置３０が、ショーウィンドウの前面ガラスのガラス面に沿って最初の位置に対して下方位置にスライドされる。
【００７２】
以上においては、情報表示部を各吸着パッドと同じ側に配置して、情報提供装置をショーウィンドウの前面ガラスの裏面に保持する場合の実施形態について説明を行ったが、情報表示部を情報提供装置の本体部に対して各吸着パッドとは反対側向き（すなわち、情報提供装置１０および３０において、情報表示部１２と中継ボックス１３を入れ替えた位置）に配置することによって、情報提供装置を例えば壁面に保持させて情報発信を行わせるようにしても良い。
【００７３】
上記各例における情報提供装置は、情報表示媒体を保持する情報表示部と、この情報表示部を支持するフレームに取り付けられてピストンロッドが情報表示部の表示面に対してほぼ直角向きに進退する第１シリンダと、この第１シリンダの先端部に取り付けられた第１吸着部材と、前記フレームに対してピストンロッドが第１シリンダと平行な向きに進退する第２シリンダと、この第２シリンダのピストンロッドの先端部に支持されてピストンロッドが第２シリンダのピストンロッドに対してほぼ直角な水平向きに往復動する両ロッドシリンダと、この両ロッドシリンダのピストンロッドの両端部に前記第１吸着部材と同じ向きに取り付けられた第１吸着部材とを備えている情報提供装置の実施形態を、その上位概念の実施形態としているものである。
【００７４】
この上位概念を構成する情報提供装置は、ショーウィンドウの前面ガラス等の壁面に、情報表示部を正面にした状態で第１吸着パッドが壁面に吸着されることによって保持される。
【００７５】
このとき、情報提供装置の位置は、その情報表示部が、例えばショーウィンドウ等の前に立った人の顔が位置する標準的な高さ位置に位置するように設定される。
【００７６】
そして、ショーウィンドウ等の前に人が立つと、第２シリンダが、そのピストンロッドが前進する方向、すなわち、情報提供装置が保持されている壁面に接近する方向に駆動されて、そのピストンロッドの先端部に取り付けられた第２吸着部材が壁面に押接されて吸着される。
【００７７】
そして、次に、第１シリンダが駆動されて、そのピストンロッドが後退する方向、すなわち、情報提供装置が保持されている壁面から離間する方向に駆動されてシリンダ本体内に引き込まれることにより、第１吸着部材と壁面との吸着状態が解除される。
【００７８】
このようにして、情報提供装置が第２吸着部材のみによって保持された状態で、次に、両ロッドシリンダが、この情報提供装置に対して人が立っている側と反対方向にピストンロッドがスライドする方向に駆動される。
【００７９】
これによって、第２吸着部材によって壁面に保持されているピストンロッドに対して、両ロッドシリンダのシリンダ本体とともに情報表示部が取り付けられている情報提供装置の本体部分が、壁面の前に立っている人に接近する方向に相対的にスライドする。
【００８０】
そして、両ロッドシリンダのシリンダ本体に対するピストンロッドの相対的なスライド動作が完了すると、第１シリンダが前記と反対方向に駆動され、そのシリンダ本体内からピストンロッドが壁面に向かって突出されて、第１吸着部材が壁面に応接されて吸着される。
【００８１】
この状態で、次に、第２シリンダが前記と反対方向に駆動され、そのシリンダ本体内にピストンロッドが引き込まれて、両ロッドシリンダが壁面から離間する方向に移動されることにより、第２吸着部材と壁面との吸着状態が解除される。これによって、情報提供装置は、再び第１吸着部材によって壁面に保持される。
【００８２】
以上のような動作が、情報提供装置がショーウィンドウ等の壁面の前に立っている人の正面に位置されるまで繰り返される。
【００８３】
以上のように、上記情報提供装置は、例えば人体検知センサ等によって人体の位置を検知してその検知信号に基づいて駆動制御を行うことにより、ショーウィンドウ等で、人が立っている位置に自ら移動して行って、その情報表示部に取り付けられている情報表示媒体による情報発信を行うことが出来る。
【００８４】
これによって、近年の情報化社会に対応して被情報提供者に対してアクティブに情報の提供を行うことができるようになる。
【図面の簡単な説明】
【図１】この発明の実施形態における情報提供装置の第１の例を示す正面図である。
【図２】同例の情報提供装置の側面図である。
【図３】同例における情報提供装置をその取り付け状態で示す側面図である。
【図４】同例の制御装置の一例を示す正面図である。
【図５】同例の情報提供装置の取り付け状態を示す説明図である。ｗ
【図６】この発明の実施形態における情報提供装置の第２の例を示す正面図である。
【図７】同例の側面図である。
【符号の説明】
１０，３０    …情報提供装置
１１，３１    …本体フレーム（フレーム）
１２          …情報表示部
１３          …中継ボックス
１５          …停止用エアシリンダ（第１シリンダ）
１５Ａ        …ピストンロッド
１６          …吸着パッド（第１吸着部材）
１７          …上下用エアシリンダ（第２シリンダ）
１８          …両ロッドエアシリンダ（両ロッドシリンダ）
１８Ａ        …ピストンロッド
１９          …吸着パッド（第２吸着部材）
２０          …反射型センサ（近接センサ）
２１          …コントロールボックス（制御装置）
３２          …上下動用ロッドシリンダ（第３シリンダ）
３２Ａ        …ピストンロッド
ＰＣ          …パーソナルコンピュータ（制御装置）
Ｓ            …人体検知センサ（検知センサ）
Ｒ            …レール
ＳＬ          …スライダ
ｗ            …ワイヤ
ＳＷ          …操作スイッチ
Ｗ            …ショーウィンドウ
Ｈ            …来訪者（人）
【図１】
2004317696.tif 000003
【図２】
2004317696.tif 000004
【図３】
2004317696.tif 000005
【図４】
2004317696.tif 000006
【図５】
2004317696.tif 000007
【図６】
2004317696.tif 000008
【図７】
2004317696.tif 000009